(57)【特許請求の範囲】
【請求項１】
電気的な列型端子ブロック、特に支持レール（２）上に係止するための電気的な列型端子ブロックであって、相並んで配置された複数のベース端子（３）と、複数の接続コネクタ（４，５）とが設けられており、個々のベース端子（３）がその都度１つの端子ハウジング（６）と、該端子ハウジング（６）内に配置された少なくとも１つの導体接続エレメントと、該導体接続エレメントに電気的に接続された少なくとも１つの差込み部または互いに接続された少なくとも２つの差込み部とを有しており、個々の接続コネクタ（４，５）がその都度１つのコネクタハウジング（８）と、該コネクタハウジング（８）内に配置された少なくとも１つの導体接続エレメント（９）と、該導体接続エレメント（９）に電気的に接続された１つの差込みコンタクト（１０）とを有しており、個々の接続コネクタ（４，５）がベース端子（３）の個々の端子ハウジング（６）上に差込み可能である
形式のものにおいて、
相並んで配置された複数のベース端子（３）の両側にその都度１つの固定ベース端子（１１）が配置されており、該固定ベース端子（１１）が、少なくとも１つの固定装置を備えた端子ハウジング（１２）を有しており、
相並んで配置された複数の接続コネクタ（４，５）の両側にその都度１つの固定カバー（１３）が配置されており、該固定カバー（１３）が、固定ベース端子（１１）の固定装置に対応する固定装置を有しており、
その結果、複数の接続コネクタ（４，５）が固定カバー（１３）を介して機械的に固定ベース端子（１１）に結合可能である
ことを特徴とする、電気的な列型端子ブロック。
【請求項２】
少なくとも１つの接続コネクタ（４）と、該接続コネクタ（４）の両側に配置された２つの固定カバー（１３）とから成る、接続コネクタ（４）の個数に応じた個数のベース端子（３）上に差し込むための構成ユニットにおいて、各接続コネクタ（４）が、１つのコネクタハウジング（８）と、該コネクタハウジング（８）内に配置された少なくとも１つの導体接続エレメント（９）と、該導体接続エレメント（９）に電気的に接続された１つの差込みコンタクト（１０）とを有しており、固定カバー（１３）がその都度１つの固定装置を有していることを特徴とする構成ユニット。
【発明の詳細な説明】
【技術分野】
【０００１】
本発明は、電気的な列型端子ブロック（Ｒｅｉｈｅｎｋｌｅｍｍｅｎｂｌｏｃｋ）、特に支持レール上に係止するための電気的な列型端子ブロックであって、相並んで配置された複数のベース端子と、複数の接続コネクタとが設けられており、個々のベース端子がその都度１つの端子ハウジングと、該端子ハウジング内に配置された少なくとも１つの導体接続エレメントと、該導体接続エレメントに電気的に接続された少なくとも１つの差込み部または互いに接続された少なくとも２つの差込み部とを有しており、個々の接続コネクタがその都度１つのコネクタハウジングと、該コネクタハウジング内に配置された少なくとも１つの導体接続エレメントと、該導体接続エレメントに電気的に接続された１つの差込みコンタクトとを有しており、個々の接続コネクタがベース端子の個々の端子ハウジング上に差込み可能である形式のものに関する。
【０００２】
さらに本発明は、少なくとも１つの接続コネクタと、該接続コネクタの両側に配置された２つの固定カバーとから成る、接続コネクタの個数に応じた個数のベース端子上に差し込むための構成ユニットに関する。さらに本発明は、接続コネクタのコネクタハウジングの側壁に固定するための固定カバーに関する。
【背景技術】
【０００３】
端子台としての電気的な列型端子（Ｒｅｉｈｅｎｋｌｅｍｍｅ）は長年公知であり、無数に電気的な設備および装置の配線時に使用される。列型端子は大抵の場合支持レール上に係止される。支持レール自体はしばしば多数エンクロージャ内に配置されている。列型端子は一般に接続端子として形成されている。その結果、列型端子は少なくとも２つの導体接続エレメントを有しており、導体接続エレメントは電気伝導性の接続レール、すなわち電流レールを介して電気的に互いに接続されている。この基本タイプの列型端子の他に、さらに多数の種々異なる列型端子タイプが存在する。列型端子は特別にその都度の使用事例に適合されている。例として、ここでは２層または３層の端子ならびに３線または４線の端子が挙げられ、その都度相応に大きな個数の導体接続エレメントを有している。
【０００４】
その他に、少なくとも１つの導体接続エレメントが差込み部により置換されている電気的な列型端子も存在する。この差込み部には、相応の差込みコンタクトを有する接続コネクタが差し込まれることができる。電気的な導体を接続するための導体接続エレメントはその際、接続コネクタのコネクタハウジング内に配置されている。
【０００５】
この種の電気的な列型端子は独国実用新案第２９５１４７１１号明細書から公知である。その際、ベース端子は一般に支持レール上に係止される。その結果、ベース端子は電気的な列型端子の定置の部分を成す。それに対して、接続コネクタは電気的な列型端子の可動の部分を形成する。それというのも、接続コネクタは簡単にその差込みコンタクトにより、ベース端子の対応する差込み部に差し込まれ、そこから再度引き抜かれることができるからである。ベース端子もしくはベース端子内に配置された導体接続エレメントに、電気的な供給線路が接続される一方、接続コネクタ内の導体接続エレメントには、個々の消費器の電気的な線路が接続される。
【０００６】
電気的な列型端子は一般に板状に形成されているので、大抵の場合複数の別の電気的な列型端子と共に差し合わされ、１つの列型端子ブロックを形成する。この種の公知の電気的な列型端子では、配線作業、ひいては設置手間を、個々の消費器の電気的な導体が相応の個数の接続コネクタに接続されることにより減じることが可能である。引き続いて、１つの接続コネクタブロックにまとめることができる接続コネクタが、ベース端子ブロックに差し込まれるだけでよく、その際、ベース端子ブロックは相応の個数のベース端子からまとめられている。
【０００７】
導体接続エレメントとして、列型端子では圧倒的にねじ式端子またはばね力式端子、特に引張りばね式端子が使用される。引張りばね式端子におけるクランプ原理は、ねじ締めの技術と類似している。ねじ式端子では、引張りスリーブが締付けねじの操作により導体を電流ストリップに引き寄せるのに対し、引張りばね式端子では、この課題を引張りばねが請け負う。このために、予圧された引張りばねが操作工具、例えばねじ回しにより開放され、その結果、導体が、引張りばねのばね脚片に設けられた窓を通して接続室内に導入されることができる。操作工具を取り除くと、導体は引張りばねのばね力により電流ストリップに引き寄せられる。
【０００８】
ねじ式端子でも引張りばね式端子でも、電気的な導体の切断後、導体の絶縁被覆はまず、電気的な導体のコンタクト形成が実施される前に除去されねばならない。電気的な導体の絶縁被覆除去のために特別な工具が必要であると共に、絶縁被覆除去に時間がかかるので、従来、電気的な導体が事前の絶縁被覆除去なしに接続され得る電気的な端子も使用される。そのために、絶縁された状態の導体は端子のハウジング内の導体受容部に導入され、引き続いて切断エレメントに押し込まれる。それにより、導体の絶縁被覆は切断され、導体の芯線は切断エレメントによりコンタクト形成される。
【０００９】
接続コネクタおよびベース端子の確実な機械的な結合のために、独国実用新案第２９５１４７１１号明細書から公知の電気的な列型端子では、接続コネクタの端面に固定されていて、ベース端子の端面に設けられたハウジング突起の背後に回り込むように係合する固定エレメントが設けられている。この公知の電気的な列型端子において、ベース端子は確かに２つの差込み部を有しているものの、接続コネクタは両差込み部のうち外側の差込み部にしか差し込まれることができない。それというのも、さもなければ接続コネクタがもはや固定エレメントによりベース端子に固定され得ないからである。
【００１０】
独国特許出願公開第１００４５４９８号明細書からやはり、１つのベース端子と２つの接続コネクタとを備えた電気的な列型端子が公知である。その際、この公知の列型端子では、ベース端子の端子ハウジングに、両差込み部の間に、１つのロック縦孔が形成されている。その結果、接続コネクタは両差込み部で機械的にベース端子の端子ハウジングに結合可能である。ロック縦孔をベース端子に形成したことにより、固定エレメントが側方でベース端子の端子ハウジングに係止できるように、接続コネクタを外側の差込み部に設置する必要はなくなる。
【００１１】
ただし、この電気的な列型端子においても、接続コネクタを端面側でベース端子に結合する別個の固定エレメントが必要である。この固定エレメントが失われると、接続コネクタが意図せずにベース端子から引き抜かれるという事態が生じ得る。さらに、特に、複数の接続コネクタがまとめられて１つの接続コネクタブロックを形成すべきとき、ベース端子における接続コネクタの確実かつ持続的な機械的な固定を保証するために、多数の固定エレメントが必要である。
【特許文献１】独国実用新案第２９５１４７１１号明細書
【特許文献２】独国特許出願公開第１００４５４９８号明細書
【発明の開示】
【発明が解決しようとする課題】
【００１２】
それゆえ本発明の課題は、複数のベース端子と複数の接続コネクタとから成る電気的な列型端子ブロックを改良して、ベース端子との接続コネクタの確実な機械的な固定が保証され得るようにすることである。さらに、互いに結合されるベース端子の個数ならびに互いにまとめられて１つの接続コネクタブロックを形成する接続コネクタの個数は、自由に選択可能であるべきである。さらに、単独でまたは別の接続コネクタと共に確実に、単数もしくは複数のベース端子に固定され得る接続コネクタが提供されるべきである。
【課題を解決するための手段】
【００１３】
上記課題を解決した本発明の構成によれば、相並んで配置された複数のベース端子の両側にその都度１つの固定ベース端子が配置されており、該固定ベース端子が、少なくとも１つの固定装置を備えた端子ハウジングを有しており、相並んで配置された複数の接続コネクタの両側にその都度１つの固定カバーが配置されており、該固定カバーが、固定ベース端子の固定装置に対応する固定装置を有しており、その結果、複数の接続コネクタが固定カバーを介して機械的に固定ベース端子に、ひいてはベース端子に結合可能であるようにした。
本発明の有利な形態は、従属請求項に係る発明である。
好ましくは、固定ベース端子の端子ハウジングに少なくとも２つの固定装置が形成されており、該固定装置が固定ベース端子の長手方向で相前後して配置されており、固定カバーの固定装置が固定カバーの長手方向に関して中央から外れて配置されており、それにより、１８０°反転されて配置された２つの固定カバーが相俟って機械的に１つの固定ベース端子に結合可能であり、固定カバーの１つの固定装置がその都度固定ベース端子の１つの固定装置と協働する。
好ましくは、固定ベース端子の端子ハウジングに設けられた単数もしくは複数の固定装置がねじ山付きインサートとして形成されており、固定カバーがねじ受容部およびねじを固定装置として有している。
好ましくは、固定カバーが接続コネクタのコネクタハウジングに機械的に結合可能、特に係止可能である。
好ましくは、固定カバーに、複数の係止ピンが配置されており、コネクタハウジングの側壁に、対応する係止切欠きが形成されている。
好ましくは、固定ベース端子の端子ハウジングがベース端子の端子ハウジングに機械的に結合可能である。
好ましくは、ベース端子の端子ハウジングが互いに機械的に結合可能である。
好ましくは、固定ベース端子の端子ハウジングが、ベース端子の端子ハウジングと同じ幅を有しており、有利には同じ長さおよび同じ高さも有している。
好ましくは、個々のベース端子がその都度２つの導体接続エレメントと、導体接続エレメントに電気的に接続された２つの差込み部とを有しており、その都度２つの接続コネクタがベース端子の長手方向で相前後してベース端子の個々の端子ハウジング上に差込み可能である。
上記課題を解決するために、本発明に係る、少なくとも１つの接続コネクタと、該接続コネクタの両側に配置された２つの固定カバーとから成る、接続コネクタの個数に応じた個数のベース端子上に差し込むための構成ユニットでは、各接続コネクタが、１つのコネクタハウジングと、該コネクタハウジング内に配置された少なくとも１つの導体接続エレメントと、該導体接続エレメントに電気的に接続された１つの差込みコンタクトとを有しており、固定カバーがその都度１つの固定装置を有しているようにした。
本発明の有利な形態は、従属請求項に係る発明である。
好ましくは、固定カバーの固定装置が固定カバーの長手方向に関して中央から外れて配置されており、有利にはねじ受容部とねじとから成る。
好ましくは、固定カバーが接続コネクタのコネクタハウジングに機械的に結合可能、特に固定カバーに配置された係止ピンと、コネクタハウジングの側壁に形成された係止切欠きとにより係止可能である。
好ましくは、接続コネクタのコネクタハウジングが互いに機械的に結合可能である。
好ましくは、少なくとも１つの固定カバーが実質的にコネクタハウジングと同じ長さおよび同じ高さを有しており、有利には同じ外側寸法を有している。
上記課題を解決するために、本発明に係る、接続コネクタのコネクタハウジングの側壁に固定するための固定カバーでは、固定カバーが固定装置を有しているようにした。
本発明の有利な形態は、従属請求項に係る発明である。
好ましくは、固定装置が固定カバーの長手方向に関して中央から外れて配置されており、有利にはねじ受容部とねじとから成る。
好ましくは、固定カバーに、接続コネクタのコネクタハウジングに機械的に結合するための複数の係止ピンが配置されている。
【発明の効果】
【００１４】
本発明により、互いに結合されて１つの接続コネクタブロックを形成する接続コネクタの機械的な固定は、もはや接続コネクタの端面もしくはベース端子の端面で実施されるのではなく、それに対して垂直に、すなわち２つの固定ベース端子の配置および２つの固定カバーの使用によりベース端子ブロックもしくは接続コネクタブロックの両長手方向面で実施される。それにより、相並んで配置された複数の接続コネクタは側方で固定カバーにより包囲もしくは制限される。固定カバーは固定装置の助けを借りて固定ベース端子に機械的に固定されることができる。固定ベース端子は、相並んで配置された複数のベース端子の側方に配置されている。
【００１５】
本発明の特に有利な構成では、固定ベース端子の端子ハウジングに少なくとも２つの固定装置が形成されており、該固定装置が固定ベース端子の長手方向で相前後して配置されている。さらに、固定カバーの固定装置が固定カバーの長手方向に関して中央から外れて配置されており、その結果、１８０°反転されて配置された２つの固定カバー、すなわち背面で向かい合わせに配置されている２つの固定カバーが相俟って機械的に１つの固定ベース端子に結合可能である。固定カバーの固定装置を中央から外して配置し、固定ベース端子の２つの固定装置を相前後して配置したことにより、固定カバーの１つの固定装置はその都度固定ベース端子の１つの固定装置と協働することができる。
【００１６】
原則的に、固定ベース端子に形成された固定装置と、固定カバーに形成された固定装置との間の機械的な結合は、係止結合として形成されていることができる。ただし有利には、この結合はねじ結合として形成されている。そのために、固定ベース端子の端子ハウジングに設けられた単数もしくは複数の固定装置はねじ山付きインサートとして形成されており、固定カバーはねじ受容部およびねじを固定装置として有している。それにより、固定ベース端子上での固定カバー、ひいては接続コネクタの確実かつ持続的な機械的な固定は、相応のねじを固定カバーのねじ受容部内に差し込み、その後、固定ベース端子のねじ山付きインサートに螺入することにより保証されている。
【００１７】
固定ベース端子および固定カバーが別個の構成部分として形成されていることにより、結合されて１つのベース端子ブロックを形成可能なベース端子の個数もしくは結合されて１つの接続コネクタブロックを形成可能な接続コネクタの個数は、自由に選択可能である。原則的に、唯一の接続コネクタを２つの固定カバーにより機械的に両固定ベース端子を介してベース端子に結合することは可能である。ただし一般的には、複数の、例えば３つ、４つ、５つまたは６つの接続コネクタが、２つの固定カバー間に配置されており、その後、相応の個数のベース端子から成り、両側に固定ベース端子を有するベース端子ブロック上に差し込まれて、固定される。
【００１８】
有利には、固定カバーと接続コネクタのコネクタハウジングとの機械的な結合が係止により実施される。そのために、固定カバーに、複数の係止ピンが配置されており、コネクタハウジングの側壁に、対応する係止切欠きが形成されている。相応に、固定ベース端子の端子ハウジングがベース端子の端子ハウジングに機械的に結合されてもよい。その際、ここでは係止が、有利には、相応に形成された係止フックおよび対応する係止溝により実施される。それにより、固定ベース端子とベース端子との結合は、支持レール上への被せ嵌め時もしくは旋回による設置時に実施されることができる。
【００１９】
本発明による電気的な列型端子ブロックの別の有利な構成では、固定ベース端子の端子ハウジングが、ベース端子の端子ハウジングと同じ幅を有しており、有利には同じ長さおよび同じ高さも有している。固定ベース端子はそれによりベース端子と同じパターン寸法（Ｒａｓｔｅｒｍａｓｓ）を有している。その結果、両固定ベース端子の使用により、列型端子エレメントの幅だけが変更され、その他の寸法に変更はない。
【００２０】
前記電気的な列型端子ブロックの他に、本発明は、少なくとも１つの接続コネクタと、該接続コネクタの両側に配置された２つの固定カバーとから成る、接続コネクタの個数に応じた個数のベース端子上に差し込むための構成ユニットにも関する。確かに、背景技術において列型端子のためのエンドホルダは公知であり、この公知のエンドホルダは支持レール上に被せ嵌められ、そこにねじにより固定されることができ、それにより、２つのエンドホルダ間に配置された列型端子は支持レールの長手方向で位置固定される。接続コネクタのための固定カバーはそれに対してこれまで未知である。接続コネクタが、１つのコネクタハウジングと、該コネクタハウジング内に配置された少なくとも１つの導体接続エレメントと、該導体接続エレメントに電気的に接続された１つの差込みコンタクトとを有する、本発明による構成ユニットでは、固定カバーが、構成ユニットを相応の個数のベース端子上に固定し得る固定装置を有していることにより特徴付けられる。
【００２１】
有利にはその際、上で既に本発明による電気的な列型端子ブロックとの関連で説明したように、固定カバーの固定装置が固定カバーの長手方向に関して中央から外れて配置されており、その際、固定装置が有利にはねじ受容部とねじとから成る。
【００２２】
本発明による構成ユニットが１つの接続コネクタから成るだけでなく、複数の接続コネクタから成るとき、接続コネクタは有利には機械的に互いに結合可能であり、そのために、接続コネクタの側壁には、係止ピンおよび対応する係止切欠きか、または係止フックおよび対応する係止溝が形成されている。それにより、個々の接続コネクタはまず差し合わされて１つの相応の接続コネクタブロックを形成することができる。その後、両固定カバーが、接続コネクタブロックの、外側に位置する接続コネクタの自由な側壁に被せ嵌められる。
【００２３】
最後に、本発明はさらに、接続コネクタのコネクタハウジングの側壁に固定するための固定カバーに関する。その際、固定カバーは、固定カバーの長手方向に関して有利には中央から外れて配置された固定装置を有している。固定装置はその際有利には、相応のねじが差込み可能もしくは螺入可能なねじ受容部により形成される。
【００２４】
詳細には、本発明による電気的な列型端子ブロックもしくは本発明による構成ユニットおよび本発明による固定カバーを構成かつ変更する多数の可能性が存在する。そのために、一方では請求項１、１０および１５に従属する請求項を、他方では図面に関する有利な実施例の以下の説明を参照されたい。
【発明を実施するための最良の形態】
【００２５】
図１および図２はその都度、相並んで１つの支持レール２上に係止されている２つの電気的な列型端子ブロック１，１′を示す。両列型端子ブロック１，１′は、相並んで配置された３つもしくは５つのベース端子３と、その都度２倍の表示、すなわち６つもしくは１０の接続コネクタ４，５とから成っている。その際、その都度２つの接続コネクタ４，５が１つのベース端子３上に差し込まれている。ベース端子３を支持レール２上に固定するために、ベース端子３のベースには、背景技術から公知の相応の係止エレメントが形成されている。
【００２６】
ベース端子３はその都度、絶縁材から成る１つの端子ハウジング６と、その中に配置された２つの導体接続エレメントとを有している。ここではねじ式端子として形成されているが、引張りばね式端子、板ばね式端子または圧接式端子として形成されていてもよい導体接続エレメントは、ここには示されていない電流レールを介して電気的に、接続コネクタ４，５が差し込まれているその都度１つの差込み部に接続されている。図２には、ベース端子の、ねじ式端子として形成された導体接続エレメントの個々の締付けねじ７が示されている。
【００２７】
個々のベース端子３の択一的な構成、特に導体接続エレメントおよび差込み部の構成に関する択一的な構成については、独国実用新案第２９５１４７１１号明細書の図１を参照されたい。さらに、個々のベース端子３は差込み部だけを有していてもよい。その結果、ねじ式端子として形成された導体接続エレメントは相応の差込み部に置換される。やはり、導体接続エレメントおよび差込み部の個数は変更可能である。その結果、本発明は決して、２つの導体接続エレメントと２つの差込み部とを備えた図示のベース端子３に限定されるものではない。
【００２８】
特に図３および図４に示した接続コネクタ４，５は、支持レール２の長手方向に対して垂直に相前後してその都度１つのベース端子３上に差し込まれており、その都度１つのコネクタハウジング８を有している。コネクタハウジング８内にはその都度１つの導体接続エレメント９と、この導体接続エレメント９に電気的に接続された１つの差込みコンタクト１０とが配置されている。図示の実施例で、接続コネクタ４，５の導体接続エレメント９はやはりねじ式端子として形成され、差込みコンタクト１０はチューリップ状のコネクタソケットとして形成されている。もちろん、接続コネクタ４，５において、ねじ式端子９の代わりに別の導体接続エレメントが使用されてもよい。やはり、接続コネクタ３，４の差込みコンタクト１０は、コネクタソケットとしての形成に対して択一的に、コネクタピンとして形成されていてもよい。その際、ベース端子３に配置された差込み部は対応してコネクタソケットとして形成されている。
【００２９】
相並んで配置された複数の、つまり３つもしくは５つのベース端子３から成る、互いに結合されたベース端子ブロックの両側には、その都度１つの固定ベース端子１１が支持レール２上に係止されている。固定ベース端子１１は、端子ハウジング６の寸法に相当する端子ハウジング１２を有している。特に図２から見て取れるように、その際、中央の固定ベース端子１１は、３つのベース端子３から成る（左側の）ベース端子ブロックと、５つのベース端子３から成る（右側の）ベース端子ブロックとに対応配置されており、それらに所属の接続コネクタ４，５に対応配置されている。さらに、相並んで配置された複数の、つまり３つもしくは５つの接続コネクタ４，５の両側には、その都度１つの固定カバー１３が配置されている。その際、各接続コネクタブロックは２つの固定カバー１３を有している。相並んで支持レール上に係止された両列型端子ブロック１，１′において、それにより、３つの固定ベース端子１１と、４つの固定カバー１３もしくはベース端子１１毎に２つの接続コネクタ４，５の配置に基づき８つの固定カバー１３とが設けられている。
【００３０】
図１および図２から、固定ベース端子１１の端子ハウジング１２に、複数の、図示の実施例では合わせてその都度４つのねじ山付きインサート１４，１５が形成されている。その際、４つのねじ山付きインサート１４，１５は固定ベース端子１１の長手方向でペア状に相前後して配置されており、その際、ねじ山付きインサートの第１の内側のペア１４は、内側の接続コネクタ４に対応配置されており、ねじ山付きインサートの第２の外側のペア１５は、外側の接続コネクタ５に対応配置されている。
【００３１】
固定カバー１３はねじ１７のためのその都度１つのねじ受容部１６を有している。ねじ１７は、固定ベース端子１１の端子ハウジング１２に設けられた相応のねじ山付きインサート１４，１５内に螺入されることができる。それにより、固定カバー１３、ひいては接続コネクタ４，５は、固定ベース端子１１もしくはベース端子３に固定されることができる。ねじ受容部１６はその際固定カバー１３の長手方向に関して中央から外れて配置されており、その結果、２つの接続コネクタブロックの、１８０°反転されて配置された２つの固定カバー１３はその都度、固定ベース端子１１の、相前後して配置された両ねじ山付きインサート１４，１５のうちの一方に螺設可能である。それにより、その背面で向かい合った２つの固定カバー１３は相俟って１つの固定ベース端子１１に固定されることができる。特に省スペースなこの構成は、図２で見て中央の固定ベース端子１１で示されている。ねじ収容部１６を固定カバー１３に中央から外して配置したことと、相前後して配置された２つのねじ山付きインサート１４，１５を固定ベース端子１１に形成したこととに基づいて、それにより、合わせて４つの固定カバー１３を備えた２つの接続コネクタブロックの確実な機械的な固定のために、３つの固定ベース端子１１が必要であるにすぎない。相応に、３つの列型端子ブロック１が相並んで１つの支持レール上に係止されるとき、６つの固定カバー１３を備えたやはり３つの接続コネクタブロックの機械的な固定のために、４つの固定ベース端子１１が必要であるにすぎない。
【００３２】
図３および図４に基づき、固定カバー１３が接続コネクタ４，５のコネクタハウジング８に係止可能であることが見て取れる。そのために、固定カバー１３に複数の係止ピン１８が配置もしくは形成され、コネクタハウジング８の側壁に、対応する係止切欠き１９が配置もしくは形成されている。図面からさらに、固定ベース端子１１の端子ハウジング１２がベース端子３の端子ハウジング６と同じ寸法、特に同じパターン寸法を有していることが見て取れる。固定ベース端子１１の使用により、そうして結合された列型端子ブロック１の全幅だけが拡大され、その他の寸法は拡大されない。
【００３３】
やはり、固定カバー１３も実質的に、接続コネクタ４，５のコネクタハウジング８と同じ長さＬを有している。さらに、両固定カバー１３のうちの一方はコネクタハウジング８と同じ高さも有している。その結果、固定カバー１３は、接続コネクタ４，５をベース端子３に機械的に固定するためだけでなく、コネクタハウジング８内に配置された導体接続エレメントおよび差込みコンタクト１０をシールするためにも役立つ。
【図面の簡単な説明】
【００３４】
【図１】相並んで支持レール上に配置された２つの電気的な列型端子ブロックの斜視図である。
【図２】図１に示した両列型端子ブロックの平面図である。
【図３】３つの接続コネクタと２つの固定カバーとから成る構成ユニットの第１の斜視図である。
【図４】図３に示した構成ユニットの第２の斜視図である。
【符号の説明】
【００３５】
１，１′  列型端子ブロック
２  支持レール
３  ベース端子
４，５  接続コネクタ
６  端子ハウジング
７  締付けねじ
８  コネクタハウジング
９  導体接続エレメント
１０  差込みコンタクト
１１  固定ベース端子
１２  端子ハウジング
１３  固定カバー
１４，１５  ねじ山付きインサート
１６  ねじ受容部
１７  ねじ
１８  係止ピン
１９  係止切欠き
【図１】
0004843509.tif 000002
【図２】
0004843509.tif 000003
【図３】
0004843509.tif 000004
【図４】
0004843509.tif 000005